(57)【要約】【課題】場所や時間に制約されず、ユーザが所望する時に広告視聴による割引を受けて有料コンテンツを利用することを可能とする端末装置を提供する。【解決手段】端末装置１０の広告視聴チャージ部２１０は、ユーザによる広告コンテンツ視聴時に、チャージ情報部１２２のチャージ額分の電子マネーをチャージする。ユーザによる有料コンテンツの利用時に、課金部２３０は、広告コンテンツ視聴部２１０にチャージされた電子マネーを有料コンテンツ利用料金として消費し、消費した額が消費上限額に達した場合にチャージ部２５０にチャージされた電子マネーを消費する。【選択図】  図２
2007128426.tif 000002
【特許請求の範囲】
【請求項１】
広告コンテンツの視聴による任意の金額の電子マネーをチャージする広告視聴チャージ手段と、
自装置に格納された有料コンテンツの再生時に、前記広告視聴チャージ手段によりチャージされた電子マネーを消費する課金手段と
を備えることを特徴とする端末装置。
【請求項２】
プリペイドされた電子マネーをチャージする通常チャージ手段をさらに備え、
前記課金手段は、
前記広告視聴チャージ手段によりチャージされた電子マネーを前記通常チャージ手段によりチャージされた電子マネーよりも優先的に消費することを特徴とする
請求項１に記載の端末装置。
【請求項３】
前記広告視聴チャージ手段によりチャージされた電子マネーの消費上限額を格納する消費上限格納手段をさらに備え、
前記課金手段は、
前記消費上限額を超えないように前記広告視聴チャージ手段にチャージされた電子マネーを消費することを特徴とする
請求項１又は２に記載の端末装置。
【請求項４】
前記広告視聴チャージ手段は、
広告コンテンツ再生時に出力されたキーワードと、ユーザにより入力されたキーワードとが一致した場合にのみ、電子マネーをチャージすることを特徴とする
請求項１から３の何れか１項に記載の端末装置。
【発明の詳細な説明】
【技術分野】
【０００１】
本発明は、有料コンテンツ再生時の課金処理を行う端末装置に関する。
【背景技術】
【０００２】
従来、携帯電話機等の端末装置では、有料コンテンツを再生してユーザに視聴させた場合、当該有料コンテンツに含まれる課金情報に基づいて課金を行っていた。課金情報は各有料コンテンツに固定の情報であるため、課金情報に記述されている以外の情報を反映させて課金を行うことはできなかった。このため、広告視聴による有料コンテンツ利用料金の割引処理は、ネットワーク上のサーバにおいて行われるのが一般的であった。
【０００３】
従って、ユーザは、広告視聴による有料コンテンツ利用料金の割引サービスを受けるために、端末装置からネットワーク上のサーバにアクセスする必要があり、端末装置が通信圏外に位置している等で通信不能である時やネットワーク上のサーバがサービス提供時間外であったり故障等で稼動していない時には、割引サービスを受けることができなかった。このように、従来では、割引サービスを受けることができる場所や時間が制約されており、ユーザにとって利便性が低かった。
【０００４】
広告視聴により獲得した電子マネーを携帯電話機等の記録媒体に記録し、当該電子マネーを代金決済に利用する技術も提案されている（例えば、特許文献１参照）。
【特許文献１】特開２００１−３２５５０５号公報（段落００３２〜００３３）
【発明の開示】
【発明が解決しようとする課題】
【０００５】
しかしながら、特許文献１では、ホームページ上もしくは現実の店舗においてユーザがサービスを受けることを想定しており、携帯電話機内の電子マネーの消費はネットワークやＰＯＳ端末へのアクセス中にしか実行されない。従って、特許文献１に記載の技術を用いたとしても、サービスの利用が場所や時間に制約されてしまうという問題点を解決することができない。
本発明は、上記の問題点を解決するためになされたものであり、場所や時間に制約されず、ユーザが所望する時に広告視聴による割引を受けて有料コンテンツを利用することを可能とする端末装置を提供することを目的とする。
【課題を解決するための手段】
【０００６】
上記課題を解決するために、請求項１に記載の発明は、広告コンテンツの視聴による任意の金額の電子マネーをチャージする広告視聴チャージ手段と、自装置に格納された有料コンテンツの再生時に、前記広告視聴チャージ手段によりチャージされた電子マネーを消費する課金手段とを備えることを特徴とする端末装置を提供する。
本発明によれば、端末装置は、有料コンテンツの再生時に広告コンテンツの視聴によりチャージされた電子マネーを消費することができるため、他の装置にアクセスすることなく自装置内の処理のみで、有料コンテンツの再生及び広告視聴によりチャージされた電子マネーの消費を行うことができる。このため、ユーザは、場所や時間に制約されず、所望する時に広告視聴による割引を受けて有料コンテンツを利用することが可能となる。
【０００７】
請求項２に記載の発明は、請求項１に記載の端末装置において、プリペイドされた電子マネーをチャージする通常チャージ手段をさらに備え、前記課金手段は、前記広告視聴チャージ手段によりチャージされた電子マネーを前記通常チャージ手段によりチャージされた電子マネーよりも優先的に消費することを特徴とする。
本発明によれば、広告視聴チャージ手段によりチャージされた電子マネーを優先的に消費することで、広告視聴による有料コンテンツの料金割引を確実に行うことができる。
【０００８】
請求項３に記載の発明は、請求項１又は２に記載の端末装置において、前記広告視聴チャージ手段によりチャージされた電子マネーの消費上限額を格納する消費上限格納手段をさらに備え、前記課金手段は、前記消費上限額を超えないように前記広告視聴チャージ手段にチャージされた電子マネーを消費することを特徴とする。
本発明によれば、消費上限額を設けることで、多様な課金形態を実現することが可能となる。
【０００９】
請求項４に記載の発明は、請求項１から３の何れか１項に記載の端末装置において、前記広告視聴チャージ手段は、広告コンテンツ再生時に出力されたキーワードと、ユーザにより入力されたキーワードとが一致した場合にのみ、電子マネーをチャージすることを特徴とする。
本発明によれば、キーワードが一致した場合にのみ電子マネーをチャージすることで、ユーザが広告コンテンツを確実に視聴した場合にのみ電子マネーをチャージすることができる。
【発明の効果】
【００１０】
本発明によれば、端末装置は、有料コンテンツの再生時に広告コンテンツの視聴によりチャージされた電子マネーを消費することができるため、他の装置にアクセスすることなく自装置内の処理のみで、有料コンテンツの再生及び広告視聴によりチャージされた電子マネーの消費を行うことができる。このため、ユーザは、場所や時間に制約されず、所望する時に広告視聴による割引を受けて有料コンテンツを利用することが可能となる。
【発明を実施するための最良の形態】
【００１１】
以下、図面を参照して本発明に係る実施の形態について説明する。
図１は、本発明の実施の形態に係る端末装置１０の構成を示すブロック図である。端末装置１０としては、例えば、携帯電話機やＰＤＡ（Personal Digital Assistance）が該当する。
図１に示すように、端末装置１０は、コンテンツを蓄積するコンテンツ蓄積領域１００、改ざんが困難な領域である耐タンパ領域２００、及び、コンテンツを再生する再生プレーヤ３００を含んで構成される。
【００１２】
コンテンツ蓄積領域１００は、有料コンテンツ蓄積部１１０、及び、広告コンテンツ蓄積部１２０を有しており、複数のコンテンツを蓄積する。
有料コンテンツ蓄積部１１０は、鍵情報部１１１と、課金情報部１１２と、コンテンツ本体１１３と、を有する。
鍵情報部１１１は、暗号化されたコンテンツを復号する。
【００１３】
課金情報部１１２は、コンテンツの利用料金と、当該利用料金の割引に適用可能な広告コンテンツを識別するための広告ＩＤ（以下、単に「ＩＤ」という）と、広告視聴による電子マネーをコンテンツ利用料金に消費可能な上限額である消費上限額（請求項の「消費上限額格納手段」に該当）と、を有する。
この消費上限額は、ユーザが入力して設定することも可能である。本実施の形態においては、消費上限額は１コンテンツ毎に設定される。なお、これ以外にも、消費上限額は、１回の視聴毎（複数コンテンツを連続して１回で視聴する場合も含む）に設定されてもよいし、広告視聴によりチャージされている電子マネーと同額に設定されてもよい。
【００１４】
広告コンテンツ蓄積部１２０は、視聴情報部１２１と、チャージ情報部１２２と、広告コンテンツ本体１２３と、を有する。視聴情報部１２１は、広告コンテンツ視聴の有無を判別する。チャージ情報部１２２は、広告コンテンツを識別するためのＩＤと、当該広告コンテンツの視聴によりチャージされる金額を示すチャージ額とを有する。
耐タンパ領域２００は、広告視聴チャージ部２１０と、広告ＩＤ照合部２２０と、課金部２３０と、チャージ部（請求項の「通常チャージ手段」に該当）２５０と、復号鍵生成部２６０と、課金コミット部２７０と、を有する。
【００１５】
広告視聴チャージ部２１０は、広告コンテンツの視聴による任意の金額の電子マネーを広告のＩＤと対応付けてチャージする。チャージする任意の金額及びＩＤは、チャージ情報部１２２に予め格納されている。なお、広告視聴チャージ部２１０は、広告コンテンツ再生時に出力されたキーワードと、ユーザにより入力されたキーワードとが一致した場合にのみ、電子マネーをチャージする。このようにすることによって、ユーザが広告コンテンツを視聴したことの確実性を高め、ユーザが広告コンテンツを確実に視聴した場合にのみ電子マネーをチャージすることが可能となる。
【００１６】
広告ＩＤ照合部２２０は、有料コンテンツ蓄積部１１０のＩＤと広告コンテンツ蓄積部１２０のＩＤとを照合することにより、利用された有料コンテンツが広告コンテンツ視聴によりチャージされた電子マネーを消費可能か否かの判断を行う。
チャージ部２５０は、広告コンテンツ視聴とは無関係に、プリペイドされた電子マネーを外部からチャージする。
【００１７】
課金部２３０は、広告チャージ課金部２３１及び通常課金部２３２で構成される。通常課金部２３２は、チャージ部２５０にチャージされた本来の電子マネーを消費することで、有料コンテンツ利用料金の課金を行う。広告チャージ課金部２３１は、ユーザによる広告コンテンツの視聴によって広告視聴チャージ部２１０にチャージされた電子マネーを消費することで、有料コンテンツ利用料金の課金を行う。
復号鍵生成部２６０は、有料コンテンツ蓄積部１１０の鍵情報部１１１から鍵情報を受信して、復号鍵を生成する。
課金コミット部２７０は、課金を完了させ、課金ログを作成する。
【００１８】
なお、以上説明した端末装置１０の機能は、端末装置１０が備える図示せぬＣＰＵ、メモリ、ＩＣカード等のハードウェア、及び、プログラム、データ等のソフトウェアによって実現されるものである。コンテンツ蓄積領域１００は、例えば不揮発性メモリやＣＰＵを含んで構成され、耐タンパ領域２００は例えばＩＣカードで構成され、再生プレーヤ３００は例えばディスプレイ、スピーカ、デコーダを含んで構成される。
【００１９】
次に、図２に示すシーケンス図を参照して、端末装置１０が行う、有料コンテンツ再生時の電子マネー消費手順を説明する。
前提として、端末装置１０のコンテンツ蓄積領域１００には、広告コンテンツ及び有料コンテンツが格納されているものとする。これらのコンテンツは、予め、ユーザ操作によって、又は、ネットワーク上のサーバから自動的に配信されたものである。
【００２０】
まず、再生プレーヤ３００は広告コンテンツ蓄積部１２０の視聴情報部１２１に再生指示を送信すると（ステップＳ１）、視聴情報部１２１は再生プレーヤ３００へ広告視聴によるチャージの有無の問合せ情報を送信する（ステップＳ２）。
再生プレーヤ３００上でユーザがチャージ有りを選択すると（ステップＳ３）、視聴情報部１２１は広告コンテンツ本体１２３へ再生依頼を通知する（ステップ４）。
【００２１】
広告コンテンツ本体１２３は通知を受けて広告コンテンツ再生データを視聴情報部１２１へ送信すると（ステップＳ５）、視聴情報部１２１は再生中のコンテンツに割り込むように数回（１回でも可）キーワードを挿入し（ステップＳ６）、再生プレーヤ３００で表示する（ステップＳ７）。
なお、ユーザがチャージ無しを選択した場合、視聴情報部１２１は広告コンテンツ本体１２３へ再生依頼を通知し（ステップＳ６’）、広告コンテンツ本体１２３は通知を受けて再生プレーヤ３００へ広告コンテンツ再生データを送信して、再生プレーヤ３００が広告コンテンツ再生データを再生し、処理が終了する（ステップＳ７’）。
【００２２】
広告コンテンツ本体１２３が視聴情報部１２１に再生完了を通知すると（ステップＳ８）、視聴情報部１２１は再生プレーヤ３００へキーワード投入依頼を送信する（ステップＳ９）。
再生プレーヤ３００は、ユーザがキーワード入力すると、キーワード情報を視聴情報部１２１に通知し（ステップＳ１０）、視聴情報部１２１はキーワード照合を行い（ステップＳ１１）、合致していれば再生確認情報をチャージ情報部１２２へ送信する（ステップＳ１２）。なお、合致していなければ、処理を終了するか、ユーザに再入力を促すよう再生プレーヤ３００へ通知する。
【００２３】
チャージ情報部１２２は再生確認情報を受信すると、耐タンパ領域２００の広告視聴チャージ部２１０へチャージ金額、ＩＤ、及び、１コンテンツ当りの消費上限額を送信する（ステップＳ１３）。
広告視聴チャージ部２１０は、受信したＩＤ情報及びチャージ金額を広告ＩＤ照合部２２０へ送信する（ステップＳ１４）。
【００２４】
次に、再生プレーヤ３００は、有料コンテンツ蓄積部１１０の広告コンテンツ本体１２３へ再生指示を送信すると（ステップＳ１５）、広告コンテンツ本体１２３は課金情報部１１２へ課金指示を送信する（ステップＳ１６）。
課金情報部１１２は、ＩＤ及び料金の情報を耐タンパ領域２００の広告視聴チャージ部２１０へ送信し（ステップＳ１７）、広告視聴チャージ部２１０は受信したＩＤ及び料金の情報を広告ＩＤ照合部２２０へ送信する（ステップＳ１８）。
【００２５】
広告ＩＤ照合部２２０は、受信したＩＤが格納されているＩＤと一致するか、当該ＩＤと対応付けてチャージされた電子マネーに残金があるかを判別して広告視聴チャージ部２１０へ結果を送信する（ステップＳ１９）。
広告視聴チャージ部２１０はＩＤが合致しなかったり残金がなかった場合は、通常課金部２３２へ課金指示を送信する（ステップＳ２０）。
【００２６】
一方、ＩＤが合致し、かつ、電子マネーの残金がある場合、広告視聴チャージ部２１０は、有料コンテンツの料金と消費上限額とを比較する。
消費上限額を超過しなければ、鍵情報部１１１へ鍵情報依頼を送信する（ステップＳ２１）。
一方、消費上限額を超過した場合（ステップＳ２１’）、広告チャージ課金部２３１へ消費上限額までの課金を指示し（ステップＳ２２）、広告チャージ課金部２３１は課金完了を広告視聴チャージ部２１０へ送信する（ステップＳ２３）。
【００２７】
広告視聴チャージ部２１０は広告チャージ課金部２３１からの課金完了を受信すると、通常課金部２３２へ超過分の課金指示を送信し（ステップＳ２４）、通常課金部２３２は鍵情報部１１１へ鍵情報依頼を送信する（ステップＳ２５）。
鍵情報部１１１は鍵情報を復号鍵生成部２６０へ送信すると（ステップＳ２６）、復号鍵生成部２６０は鍵情報を元に復号鍵を生成し、広告コンテンツ本体１２３へ送信する（ステップＳ２７）。
【００２８】
広告コンテンツ本体１２３は復号鍵を用いてコンテンツを復号し、再生情報を再生プレーヤ３００へ送信した後（ステップＳ２８）、再生完了を課金コミット部２７０へ送信する（ステップＳ２９）。
課金コミット部２７０は再生完了を受信すると、課金をコミットして電子マネーの残金を確定し（ステップＳ３０）、課金ログを作成し（ステップＳ３１）、処理を終了する。
【００２９】
以上説明したように、端末装置１０は、他の装置にアクセスすることなく自装置１０内の処理のみで、有料コンテンツを再生し、かつ、広告コンテンツ視聴によりチャージされた電子マネーを有料コンテンツの利用料金として消費することができるため、ユーザは場所や時間の制約を全く受けることなく、有料コンテンツを視聴したいと思った時にはいつでも広告視聴による割引を受けて有料コンテンツを利用することが可能となり、利便性を高めることができる。
【００３０】
また、広告視聴チャージ部２１０にチャージされた電子マネーから優先的に消費し、使い切るか消費上限額に達した時にチャージ部２５０にチャージされた通常の電子マネーを消費するようにしたため、確実に広告視聴による割引を行うことができ、また、消費上限額の設定の仕方によって多様な課金形態を実現することができる。
また、有料コンテンツと広告コンテンツとをＩＤで対応付けることで、広告コンテンツ視聴による電子マネーを適用する有料コンテンツを制限することができ、この有料コンテンツと広告コンテンツとの対応付け方によって多様な課金形態を実現することができる。
【００３１】
また、広告コンテンツ再生中にキーワードを画面出力し、そのキーワードを見たユーザが同一のキーワードを入力した場合にのみ広告視聴による電子マネーをチャージすることで、ユーザの広告コンテンツ視聴の確実性を高め、ユーザが広告コンテンツを視聴していた場合にのみ有料コンテンツ利用料金の割引を行うようにすることができる。なお、広告コンテンツ再生中に出力するキーワードは文字以外に音声であっても構わない。
【００３２】
なお、上述した実施の形態においては、端末装置１０は携帯電話機やＰＤＡであるとして説明したが、これに限定されることはなく、通信機能を備えていない装置であってもよい。この場合には、端末装置には、有料コンテンツ、及び、広告コンテンツ又は広告視聴による電子マネーが予め格納されていればよい。
また、広告コンテンツ視聴による料金割引を伴った有料コンテンツの再生を行うためには、有料コンテンツ、及び、広告視聴による電子マネーが端末装置１０に格納されていればよいため、端末装置１０に広告コンテンツを予め格納しておかず、広告コンテンツを再生する場合にのみネットワークにアクセスするようにしてもよい。但し、端末装置１０に広告コンテンツを予め格納しておく方式の方が広告コンテンツの再生も含めて全ての処理を端末装置１０内で行うことが可能となり、利便性を高めることができる。
【産業上の利用可能性】
【００３３】
１つの端末装置内の処理のみで、広告視聴による割引課金を伴った有料コンテンツ提供サービスを実現することができる。
【図面の簡単な説明】
【００３４】
【図１】本発明の実施の形態に係る端末装置の構成を示すブロック図である。
【図２】同実施の形態に係る端末装置が行う有料コンテンツ再生時の電子マネー消費手順を示すシーケンス図である。
【符号の説明】
【００３５】
１０      端末装置
１００    コンテンツ蓄積領域
１１０    有料コンテンツ蓄積部
１１１    鍵情報部
１１２    課金情報部
１１３    コンテンツ本体
１２０    広告コンテンツ蓄積部
１２１    視聴情報部
１２２    チャージ情報部
１２３    広告コンテンツ本体
２００    耐タンパ領域
２１０    広告視聴チャージ部
２２０    照合部
２３０    課金部
２３１    広告チャージ課金部
２３２    通常課金部
２５０    チャージ部
２６０    復号鍵生成部
２７０    課金コミット部
３００    再生プレーヤ
【図１】
2007128426.tif 000003
【図２】
2007128426.tif 000004